(57)【特許請求の範囲】
【請求項１】
ケースと、
前記ケース内に収容されるコアと、
前記コアに巻き回される巻線と、
少なくとも１つの金具であって、
基部と、
前記基部の一端を折り曲げることにより形成され、前記コアを前記ケースの開口から底面に向かう方向に付勢する第１アームと、
前記基部の他端を折り曲げることにより形成され、前記コアの底面と係合することにより、該コアを前記第１アームとの間で挟持する第２アームと、
前記基部に切り込みを入れることにより形成された片を前記コアから離れる方向に折り曲げることによって形成された第３アームと、
が一体に形成された金具と、
前記第３アームを前記ケースに固定することにより、前記第１アームと前記第２アームとの間に挟持された前記コアを該ケース内で保持する固定具と、
を備え、
前記第３アームから前記ケースの底面までの上下方向間隔が、該第３アームから前記第２のアームまでの上下方向間隔よりも長く構成されていることにより、前記コアが該ケースの底面から浮上した位置で保持される
ことを特徴とするインダクタ。
【請求項２】
前記コアが、複数の分割コアを組合せて形成されたものであり、
前記金具は前記第１アームを２つ有し、該第１アームの一方と他方は、夫々異なる分割コアを前記ケースの底面に向けて付勢している
ことを特徴とする請求項１に記載のインダクタ。
【請求項３】
前記金具は、前記コアを挟んで対向して少なくとも一対設けられ、
前記一対の金具の基部の上端同士の間隔が、前記ケースの内周面の上端において該基部と近接する面同士の間隔よりも大きく、
前記コアをケース内に収容する際、前記ケースの内側面が前記一対の金具をケースの内側方向に押し付けてガイドすることを特徴とする請求項１又は請求項２に記載のインダクタ。
【請求項４】
前記第２アームには、前記コアの底面の内側の端部と係合する折り返し部が形成されていることを特徴とする請求項１又は請求項２に記載のインダクタ。
【請求項５】
前記第１アームは、Ｕ字状に折り返されていることを特徴とする請求項１から請求項４のいずれか一項に記載のインダクタ。
【請求項６】
前記金具には、前記第１アームの折り返し部から前記基部に掛けて延びるスリットが形成されていることを特徴とする請求項５に記載のインダクタ。
【請求項７】
前記金具は、金属板を折り曲げて形成された板金部材であることを特徴とする請求項１から請求項６のいずれか一項に記載のインダクタ。
【発明の詳細な説明】
【技術分野】
【０００１】
本発明は、巻線が設けられたコアをケースに収容して形成したインダクタに関する。
【背景技術】
【０００２】
電圧調整等の目的で電気回路中に使用されるインダクタとして、特許文献１に記載されているような、巻線が設けられたコアをケースに収容したものがある。ケースに巻線やコアを収容することにより、コアや巻線は保護される。
【０００３】
特許文献１に記載されているインダクタは、金具によってコアをケースの内壁に押しつけて固定することによって、コア及び巻線がケース内で保持されるようになっている。このような構成のインダクタは、振動や衝撃がインダクタに加わったときに、ケースからコアへ衝撃荷重が殆ど減衰されずに伝達される場合があり、コアに破損が生じる可能性があった。
【０００４】
上記問題を解決するため、コア及びコアをケースに固定するための固定部材（金具等）をインサート成形にて樹脂で覆うことによって、或いは、インサート成形によってコアを樹脂で覆うと共にこの樹脂で固定部材を成形することによって、固定部材とコアを一体とし、この固定部材をケースに固定する構成が提案される。このような構成では、ケースに比べて比較的柔らかい樹脂がコアとケースの内壁の間に設けられることになるため、ケースに振動や衝撃が加わったとしても、コアが破損しにくくなっている。
【先行技術文献】
【特許文献】
【０００５】
【特許文献１】特開２００８−３００７８６号公報
【発明の概要】
【発明が解決しようとする課題】
【０００６】
上記のインサート成形にてコアを樹脂で覆うような構成では、成形を行うための金型や金型内で樹脂を保持するための治具が必要となり、これによってインダクタの製造コストは高いものとなる。
【０００７】
本発明は上記の問題を解決するためになされたものである。すなわち、本発明は、振動や衝撃によるコアの破損を防止可能であり、且つ低コストで製造可能なインダクタを提供することを目的とする。
【課題を解決するための手段】
【０００８】
上記の目的を達成するため、本発明のインダクタは、ケース内でコアを挟み込んで保持するための保持部材を有し、保持部材が、コアをケースの開口から底面に向かう方向に付勢する第１アームと、コアの底面と係合してコアを保持する第２アームと、保持部材をケースに固定する固定部と、第１アーム、第２アーム及び固定部が設けられる基部とを有する金具を少なくとも１つ有し、固定部からケースの底面までの上下方向間隔が、固定部から第２のアームまでの上下方向間隔よりも長く構成されており、コアがケースの底面から浮上するよう構成されている。
【０００９】
また、コアが複数の分割コアを組合せて形成されたものであり、金具は第１アームを２つ有し、第１アームの一方と他方は、夫々異なる分割コアをケースの底面に向けて付勢する構成とすることが好ましい。
【００１０】
また、金具はコアを挟んで対向して少なくとも一対設けられ、一対の金具の基部の上端同士の間隔が、ケースの内周面の上端において基部と近接する面同士の間隔よりも大きく、コアをケース内に収容させる際、ケースの内周面が一対の金具をケースの内側方向に押し付けてガイドするよう構成してもよい。
【００１１】
また、第２アームには、コアの底面の内側の端部と係合する折り返し部が形成されている構成とすることが好ましい。
【００１２】
また、第１アームは、Ｕ字状に折り返されている構成とすることが好ましい。さらに好ましくは、金具に第１アームの折り返し部から基部に掛けて延びるスリットが形成される。
【００１３】
また、金具は、例えば金属板を折り曲げて形成された板金部材である。
【発明の効果】
【００１４】
上記のように、本発明に係るインダクタは、保持部材の金具によってケースの底面からコアが浮上するようになっている。本構成によれば、ケースとコアの接触が避けられるため、振動や衝撃によるコアの破損を防止可能となる。また、本発明に係る構成は、コアをケース内で保持させるために従来より使用されている金具が、コアをケースから浮上させる機能をも有するものであるため、特許文献１に記載の構成から部品点数が増えることもなく、また、インサート成形のための金型や治具も必要としない。すなわち、本構成に係るインダクタは、特許文献１に記載のものとさほど変わらない製造コストで製造可能である。
【００１５】
したがって、本発明によれば、振動や衝撃によるコアの破損を防止可能であり、且つ低コストで製造可能なインダクタが実現される。
【図面の簡単な説明】
【００１６】
【図１】図１は、本発明の第１の実施の形態に係るインダクタの斜視図である。
【図２】図２は、本発明の第１の実施の形態に係るインダクタの断面図である。
【図３】図３は、本発明の第１の実施の形態に係るインダクタ本体及び保持金具の斜視図である。
【図４】図４は、本発明の第１の実施の形態に係るインダクタ本体の分解斜視図である。
【図５】図５は、本発明の第１の実施の形態に係るコア部の上面図である。
【図６】図６は、本発明の第１の実施の形態に係る保持金具の斜視図である。
【図７】図７は、本発明の第１の実施の形態に係るインダクタを幅方向から見た側面図であって、ケースにコアを取り付ける前の状態を示したものである。
【図８】図８は、本発明の第１の実施の形態に係るインダクタを幅方向から見た側面図であって、ケースにコアを取り付けた後の状態を示したものである。
【図９】図９は、本発明の第２の実施の形態に係るインダクタの斜視図である。
【図１０】図１０は、本発明の第２の実施の形態に係るインダクタ本体及び保持金具の斜視図である。
【発明を実施するための形態】
【００１７】
以下、本発明の実施の形態について図面を用いて詳細に説明する。図１は、本発明の第１の実施形態に係るインダクタ１の斜視図である。また、図２は、本実施形態に係るインダクタ１の断面図である。本実施形態のインダクタ１は、ケース１００と、ケース１００内に収容されるインダクタ本体２００と、インダクタ本体２００をケース１００内で保持するための保持部材３００と、保持部材３００をケース１００に固定するボルト４１０（図２）と、インダクタ本体２００及び保持部材３００をケース１００に取りつけた後にケース１００内に充填される封止樹脂４２０を有する。
【００１８】
まず、インダクタ本体２００について説明する。図３は、インダクタ本体２００及び保持部材３００の斜視図である。また、図４は、インダクタ本体２００の分解斜視図である。図４に示されるように、インダクタ本体２００は、コア部２１０、ボビン２２０及び巻線２３０を有する。コア部２１０は、３本のコラムを有するＥ字状の一対の分割コア２１１、２１２を、コラム同士が向かい合うように突き合わせて、外側のコラム同士の端面を接着剤２１３にて接着したものである。なお、分割コア２１１及び２１２は、強磁性又はフェリ磁性を有する磁性体から形成されたものであり、例えば、粉末状の磁性体を圧縮成形して形成した圧粉コア、或いは、ケイ素鋼を積層した積層コア等である。なお、以下の説明においては、コラムの延びる方向を幅方向（図中左下から右上に向かう方向）、コラムの並び方向を奥行方向（図中左上から右下に向かう方向）、幅方向と奥行方向の双方に垂直な方向を高さ方向（図中上下方向）と称す。さらに、インダクタ本体２００をケース１００に収容した時に、ケース１００の開口部１０１（図２）が位置する側を上下方向上側とし、その反対側、すなわちケース１００の底面１０２（図２）が位置する側を上下方向下側とする。
【００１９】
図５は、コア部２１０の上面図である。図５に示されるように、分割コア２１１及び２１２の３本のコラムのうち、中央の第２コラム２１１ｂ、２１２ｂは両端の第１コラム２１１ａ、２１２ａ及び第３コラム２１１ｃ、２１２ｃよりも短い。このため、接着剤２１３は、両端のコラム２１１ａ、２１１ｃ、２１２ａ、２１２ｃの端面に塗布される。また、コア部２１０が形成された状態では、第２コラム２１１ｂと２１２ｂの間にエアギャップＧが形成される。
【００２０】
図４に示されるように、巻線２３０は、ボビン２２０の外周面に巻き回されている。ボビン２２０は、分割コア２１１及び２１２の第２コラム２１１ｂ、２１２ｂに嵌め合わせて取り付けられる。
【００２１】
次に、本実施形態に係る保持部材３００の構成について説明する。図６は、本実施形態の保持部材３００の斜視図である。図６に示されるように、保持部材３００は、コア部２１０の奥行方向奥側（図３中左上）でコア部２１０を保持する第１金具３１０と、コア部２１０の奥行方向手前側（図３中右下）でコア部２１０を保持する第２金具３２０を有する。
【００２２】
第１金具３１０は、板金部材である。第１金具３１０は、方形の板状基部３１１と、該板状基部３１１の上下方向両端をコの字状に折り曲げて形成された第１アーム３１２及び第２アーム３１３を有する。図示されているように、上下方向上側の第１アーム３１２は、幅方向両側に１つずつ設けられている。図６に示されるように、第１アーム３１２の先端部３１２ｂは、折り返し部３１２ａで一旦上下方向下側に屈曲された後、奥行方向外側に向かって折り返されている。
【００２３】
第１金具３１０の板状基部３１１の略中央部には、Ｕ字状の切込Ｃを入れて奥行方向奥側に略直角に折り曲げて形成された第３アーム３１４が設けられている。第３アーム３１４の略中央には、貫通孔３１４ａが形成されている。図２に示されるように、ケース１００の底面１０２の奥行方向奥側（図中左側）には、上下方向上側に突出する突出部１０３が形成されている。突出部１０３には、その上面１０３ａから下側に向かって延びる雌ねじ１０３ｂが形成されており、上面１０３ａに第３アーム３１４を重ねて、第３アーム３１４の貫通孔３１４ａと上面１０３ａの雌ねじ１０３ｂを一致させ、ボルト４１０にて第３アーム３１４を突出部１０３にねじ止めすることによって、第１金具３１０がケース１００に固定される。
【００２４】
第２金具３２０は、第１金具３１０と同一形状の板金部材である。すなわち、第２金具３２０は、板状基部３２１と、第１アーム３２２、第２アーム３２３及び第３アーム３２４を有する。そして、第１金具３１０と同様、第２金具３２０の第１アーム３２２は、幅方向両側に１つずつ設けられていると共に、第１アーム３２２の先端部３２２ｂは、折り返し部３２２ａで一旦上下方向下側に屈曲された後、奥行方向外側に向かって折り返されている。
【００２５】
第２金具３２０の板状基部３２１の略中央には、第１金具３１０と同様に、Ｕ字状の切込Ｃを入れて奥行方向反奥側に略直角に折り曲げて形成された第３アーム３２４が設けられており、該第３アーム３２４の略中央にも、貫通孔３２４ａが形成されている。図２に示されるように、ケース１００の底面１０２の奥行方向手前側（図中右側）には、上下方向上側に突出する突出部１０４が形成されている。突出部１０４には、その上面１０４ａから下側に向かって延びる雌ねじ１０４ｂが形成されており、上面１０４ａに第３アーム３２４を重ねて、第３アーム３２４の貫通孔３２４ａと上面１０４ａの雌ねじ１０４ｂを一致させ、ボルト４１０にて第３アーム３２４を突出部１０４にねじ止めすることによって、第２金具３２０がケース１００に固定される。
【００２６】
第１金具３１０及び第２金具３２０をコア部２１０に取り付けた状態では、図２に示されるように、第１アーム３１２（３２２）の先端部３１２ｂ（３２２ｂ）と、第２アーム３１３（３２３）との間にコア部２１０の上下端部が挟み込まれた状態となる。
【００２７】
また、図２に示されるように、ケース１００の突出部１０３、１０４の高さｈ１（すなわちケース１００の底面１０２から第３アーム３１４までの間隔）よりも、第３アーム３１４（３２４）から第２アーム３１３（３２３）迄の上下方向距離ｌ１の方が短くなっている。そのため、保持部材３００でインダクタ本体２００をケース１００内で保持した状態では、コア部２１０は、ケース１００の底面１０２から浮上した状態となる。
【００２８】
このように、本実施形態のインダクタ１は、コア部２１０がケース１００内の中空に保持される構成となっており、ケース１００と接触しないため、振動等によってケース１００を介してコア部２１０に衝撃荷重が加わることはなく、この衝撃荷重によるコア部２１０の破損が防止される。
【００２９】
なお、第１金具３１０は、第１アーム３１２を２組有している。そして、図１に示されるように、２組の第１アーム３１２の先端部３１２ｂの一方は、第１分割コア２１１の第３コラム２１１ｃに当接し、他方は第２分割コア２１２の第３コラム２１２ｃに当接する。同様に、第２金具３２０は、第１アーム３２２を２組有している。そして、図１に示されるように、２組の第１アーム３２２の先端部３２２ｂの一方は、第１分割コア２１１の第１コラム２１１ａに当接し、他方は第２分割コア２１２の第１コラム２１２ａに当接する。
【００３０】
本実施形態のインダクタ１の組立方法について以下に説明する。図７及び８は、本実施形態のインダクタ１を幅方向から見た側面図である。図７は、保持部材３００を取り付けたインダクタ本体２００をケース１００に収容させる前の状態を示したものである。また、図８は、保持部材３００及びインダクタ本体２００をケース１００に収容させた後の状態を示したものである。
【００３１】
図７に示されるように、第１金具３１０の板状基部３１１と第２金具３２０の板状基部３２１の下端同士の間隔ｌ２は、ケース１００の奥行方向両側の内側面１０５及び１０６との間に設けられた開口１０１の間隔ｌ４よりも小さい。このため、保持部材３００及びインダクタ２００は、スムーズにケース１００内に収容される。
【００３２】
また、第１金具３１０の板状基部３１１と第２金具３２０の板状基部３２１の上端同士の間隔ｌ３は、ケース１００の奥行方向両側の内側面１０５及び１０６との間に設けられた開口１０１の間隔ｌ４よりも大きい。このため、第１及び第２金具３１０、３２０の第１アーム３１２及び３２２が、奥行方向内側（図８中矢印方向）に向かって押し込まれる。このように、ケース１００の内側面１０５と１０６によって第１金具３１０及び第２金具３２０がガイドされて、第１アーム３１２及び３２２の先端部３１２ｂ及び３２２ｂの位置決めが行われるようになっている。
【００３３】
以上のように、本実施形態によれば、保持部材３００を取り付けたインダクタ本体２００をケース１００に向かって差し込むという、治具を必要としない平易な作業によって、インダクタ本体２００がケース１００の底面１０２から浮上したインダクタ１を製造可能となる。本実施形態のインダクタ１は、インダクタ本体をケースの底面から浮上させるために保持部材とインダクタ本体とをインサート成形により樹脂で一体化してこれをケースに固定するような従来構成のように、金型や治具を必要としないため、低コストで製造可能である。
【００３４】
なお、図６に示されるように、第１金具３１０及び第２金具３２０の第１アーム３１２及び３２２は、Ｕ字状に屈曲している。また、第１金具３１０の第２アーム３１３の先端には、第１分割コア２１１及び第２分割コア２１２の第３コラム２１１ｃ及び２１２ｃと係合可能な（図２）折り返し部３１３ａが形成されている。同様に、第２金具３２０の第２アーム３２３の先端には、分割コア２１１及び２１２の第１コラム２１１ａ及び２１２ａと係合可能な折り返し部３２３ａが形成されている。このため、第１金具３１０の第２アーム３１３の折り返し部３１３ａを第１分割コア２１１及び第２分割コア２１２の第３コラム２１１ｃ及び２１２ｃに係合させ、第２金具３２０の第２アーム３２３の折り返し部３２３ａを第１分割コア２１１及び第２分割コア２１２の第１コラム２１１ａ及び２１２ａに係合させ、さらに第１アーム３１２及び３２２の折り返し部３１２ａ、３２２ａから第１金具３１０及び第２金具３２０をインダクタ本体２００の上面に差し込むという平易な工程によって、第１金具３１０及び第２金具３２０をインダクタ本体２００に容易に取り付けることができる。
【００３５】
また、第１アーム３１２及び３２２の基端部（折り返し部３１２ａ及び３２２ａよりも板状基部３１１及び３２１に近い部分）３１２ｃ及び３２２ｃには、スリット３１２ｄ及び３２２ｄが形成されている。このスリット３２１ｄ及び３２２ｄは、板状基部３１１及び３２１まで延びている。このスリット３１２ｄ及び３２２ｄによって、第１アーム３１２及び３２２のバネ定数は小さなものとなる。このため、ケース１００に衝撃荷重が加わった場合であっても、衝撃荷重が第１アーム３１２及び３２２によって吸収され、コア部２１０の破損が防止される。
【００３６】
前述のように、本実施形態においては、保持部材３００の２つの金具の夫々が２組の第１アームを有し、いずれか１つの金具の２組の第１アームが異なる分割コアに当接する構成である。例えば、第１金具３１０や第２金具３２０が第１アームを１つしか持たず、各第１アームが第１分割コア２１１と第２分割コア２１２の接合部に当接するような構成であると、第１分割コア２１１と第２分割コア２１２の寸法のバラツキにより、第１アームが一方の分割コアのみしか付勢できない可能性がある。一方、本実施形態の構成は、複数の第１アームが異なる分割コアを別個に付勢するため、分割コアの寸法のバラツキに関わらず双方の分割コアが付勢されるようになっている。
【００３７】
なお、本実施形態においては、保持部材３００が第１金具３１０と第２金具３２０の２つの金具から構成されているが、本発明はこの構成に限定されるものではない。すなわち、保持金具が３つ以上の金具から構成されていてもよい。
【００３８】
また、本実施形態においては、第２金具３２０の第１アーム３２２が第１分割コア２１１及び第２分割コア２１２の第１コラム２１１ａ、２１２ａを保持し、一方第１金具３１０の第１アーム３１２が第１分割コア２１１及び第２分割コア２１２の第３コラム２１１ｃ、２１２ｃを保持するよう構成されている（図３）。しかしながら、本発明は上記構成に限定されるものではない。すなわち、第１金具３１０及び第２金具３２０がコア部２１０の幅方向両端に配置され、第１アーム３１２及び３２２が、夫々第１分割コア２１１の基部２１１ｄ及び第２分割コア２１２の基部２１２ｄを保持するよう構成されていてもよい。この場合は、第１金具３１０及び第２金具３２０に、夫々第１アーム３１２及び３２２が１つずつ設けられ、その夫々が、第１分割コア２１１及び第２分割コア２１２の基部２１１ｄ及び２１２ｄの奥行方向略中央部に位置する構成としてもよい。
【００３９】
以上説明した本発明の第１の実施形態に係るインダクタは、コア部２００がＥ字状の２つの分割コアを組み合わせて形成したＥＥ型コアであり、保持部材３００の第１アームは分割コアのアームを付勢している。しかしながら、本発明は上記の構成に限定されるものではない。以下に説明する本発明の第２の実施形態に係るインダクタは、２つのＵ字状の分割コアと、少なくとも２つのＩ字状のコアとを組み合わせて全体としてＯ字状にしたＵＩ型コアを使用するインダクタである。
【００４０】
図９は、本実施形態のインダクタ１’の斜視図である。図９に示されるように、本実施形態のインダクタ１’は、ケース１００と、ケース１００内に収容されるインダクタ本体５００と、インダクタ本体５００をケース１００内で保持するための保持部材３００と、保持部材３００をケース１００に固定するボルト（不図示）と、インダクタ本体５００及び保持部材３００をケース１００に取りつけた後にケース１００内に充填される封止樹脂４２０を有する。
【００４１】
本実施形態のインダクタ１’のインダクタ本体５００及び保持部材３００の斜視図を図１０に示す。図１０に示されるように、インダクタ本体５００は、第１Ｕ字分割コア５１１、第２分割コア５１２、及び４つのＩ字分割コア５１３から構成されるコア部５１０を有する。
【００４２】
第１Ｕ字分割コア５１１は、基部５１１ｃと、基部５１１ｃの両端から略平行に延びる第１アーム５１１ａ及び第２アーム５１１ｂを有する。また、第２Ｕ字分割コア５１２は、基部５１２ｃと、基部５１２ｃの両端から略平行に延びる第１コラム５１２ａ及び第２コラム５１２ｂを有する。第１Ｕ字分割コア５１１と第２Ｕ字分割コア５１２とは、第１コラム５１１ａと５１２ａ同士が向かい合わせとなり、且つ第２コラム５１１ｂと５１２ｂ同士が向かい合わせとなるように配置されている。そして、第１コラム５１１ａと５１２ａの間、及び第２コラム５１１ｂと５１２ｂの間に、夫々２本のＩ字分割コア５１３を挟み込んで接着することによって、全体としてはＯ字形状のコアが形成される。なお、以下の説明では、第１Ｕ字分割コア５１１の第１コラム５１１ａ、第２Ｕ字分割コア５１２の第１コラム５１２ａ、及びこの２アーム間に配置された２本の分割Ｉ字コア５１３を合わせたものを、コア部５１０の第１コラム５１０ａと称する。また、第１Ｕ字分割コア５１１の第２コラム５１１ｂ、第２Ｕ字分割コア５１２の第２コラム５１２ｂ、及びこの２アーム間に配置された２本の分割Ｉ字コア５１３を合わせたものを、コア部５１０の第２コラム５１０ｂと称する。
【００４３】
以下の説明では、第１Ｕ字分割コア５１１から第２Ｕ字分割コア５１２に向かう方向を幅方向（図中左下から右上に向かう方向）、コア部５１０の第１コラム５１０ａと第２コラム５１０ｂの並び方向を奥行方向（図中右下から左上に向かう方向）、幅方向及び奥行方向の双方に垂直な方向を上下方向と定義する。また、上下方向において、ケース１００にインダクタ本体５００を収容したときにケース１００の開口１０１（図１）に近位となる側を上側、その反対、すなわちケース１００の底面１０２に近位となる側を下側と定義する。
【００４４】
本実施形態においては、コア部５１０の第１コラム５１０ａと第２コラム５１０ｂの夫々に、第１巻線５３１及び第２巻線５３２が設けられている。本実施形態においては、このようにコア部５１０の第１コラム５１０ａと第２コラム５１０ｂが巻線で覆われているため、保持部材３００の第１金具３１０と第２金具３２０は、夫々第１Ｕ字分割コア５１１の基部５１１ｃと、第２Ｕ字分割コア５１２の基部５１２ｃに取り付けられている。なお、保持部材３００の第１金具３１０と第２金具３２０の形状は、第１の実施形態のものと略同一であり、上側に配置された第１アーム３１２、３２２と、下側に配置された第２アーム３１３、３２３との間で、第１Ｕ字分割コア５１１の基部５１１ｃと、第２Ｕ字分割コア５１２の基部５１２ｃが挟み込まれ、次いで、ボルトによって第１金具３１０及び第２金具３２０がケース１００（図１）に固定されると、第２アーム３１３及び３２３によってインダクタ本体５００が持ち上げられ、インダクタ本体５００がケース１００の底面から浮上する。他の点は、本発明の第１の実施形態と同様であるため、説明は省略する。
【００４５】
なお、本実施形態においては、第１の実施形態と同様、第１金具３１０及び第２金具３２０に、夫々第１アーム３１２及び３２２が２つずつ設けられている。しかしながら、第１金具３１０及び第２金具３２０に、夫々第１アーム３１２及び３２２が１つずつ設けられ、第１アーム３１２及び３２２が夫々、第１Ｕ字分割コア５１１及び第２Ｕ字分割コア５１２の基部５１１ｃ及び５１２ｃの奥行方向略中央部に位置する構成としてもよい。
【符号の説明】
【００４６】
１、１’            インダクタ
１００              ケース
２００              インダクタ本体
２１０              コア部
２３０              巻線
３００              保持部材
３１０              第１金具
３２０              第２金具
３１１、３２１      基部
３１２、３２２      第１アーム
３１３、３２３      第２アーム
３１３ａ、３２３ａ  折り返し部
５００              インダクタ本体
【図１】
0005395564.tif 000002
【図２】
0005395564.tif 000003
【図３】
0005395564.tif 000004
【図４】
0005395564.tif 000005
【図５】
0005395564.tif 000006
【図６】
0005395564.tif 000007
【図７】
0005395564.tif 000008
【図８】
0005395564.tif 000009
【図９】
0005395564.tif 000010
【図１０】
0005395564.tif 000011